(57)【要約】【課題】アドホックモードを使用する無線ＬＡＮネットワークにおいて，ＥＳＳＩＤの秘匿設定を容易かつ確実に変更することができ，さらに，インフラモードよりも開発コストを大幅に削減することが可能な無線ＬＡＮ端末の提供を目的とする。【解決手段】アドホックモードで通信を行う無線ＬＡＮ端末に対し，その動作により簡易的な親機子機の区別を設け，子機が親機から送出されるビーコンに含まれるＥＳＳＩＤ秘匿設定値に基づき自身のＥＳＳＩＤ秘匿設定を行う。または，子機の送出したプローブ要求に対する親機からのプローブ応答に含まれるＥＳＳＩＤ秘匿設定値に基づき自身のＥＳＳＩＤ秘匿設定を行う。【選択図】図３
2012034071.tif 000002
【特許請求の範囲】
【請求項１】
アドホックモードにて相互に通信を行う複数の無線ＬＡＮ端末より構成される無線ＬＡＮネットワークにおける無線ＬＡＮ端末であって，
プローブ要求を送出するプローブ要求手段と，
送出したプローブ要求に対する応答を受信するプローブ応答受信手段と，
受信したプローブ応答に含まれるＭＡＣアドレスを取得するＭＡＣアドレス取得手段と，
自身ではない無線ＬＡＮ端末から送出されたビーコンを検出するビーコン検出手段と，
検出したビーコンに含まれるＭＡＣアドレスがＭＡＣアドレス取得手段によって取得されたＭＡＣアドレスと一致するかどうかを判定するＭＡＣアドレス一致判定手段と，
ＭＡＣアドレスが一致すると判定されたビーコンに含まれる，ＥＳＳＩＤを秘匿するか否かの設定値であるＥＳＳＩＤ秘匿設定値を取得するＥＳＳＩＤ秘匿設定値取得手段と，
取得したＥＳＳＩＤ秘匿設定値を自身のＥＳＳＩＤ秘匿設定値として設定するＥＳＳＩＤ秘匿設定手段と，
を備える無線ＬＡＮ端末。
【請求項２】
アドホックモードにて相互に通信を行う複数の無線ＬＡＮ端末より構成される無線ＬＡＮネットワークにおける無線ＬＡＮ端末であって，
プローブ要求を送出するプローブ要求手段と，
送出したプローブ要求に対する応答を受信するプローブ応答受信手段と，
受信したプローブ応答に含まれる，ＥＳＳＩＤを秘匿するか否かの設定値であるＥＳＳＩＤ秘匿設定値を取得するＥＳＳＩＤ秘匿設定値取得手段と，
取得したＥＳＳＩＤ秘匿設定値を自身のＥＳＳＩＤ秘匿設定値として設定するＥＳＳＩＤ秘匿設定手段と，
を備える無線ＬＡＮ端末。
【請求項３】
アドホックモードにて相互に通信を行う第１の無線ＬＡＮ端末と第２の無線ＬＡＮ端末により構成される無線ネットワークシステムであって，
（１）第１の無線ＬＡＮ端末は
（Ａ）ＥＳＳＩＤ秘匿設定が有効なビーコンを送出するビーコン送出手段と，
（Ｂ）第２の無線ＬＡＮ端末から送出されたプローブ要求に対する応答を行うプローブ応答手段と，
を備え，
（２）第２の無線ＬＡＮ端末は
（Ｃ）プローブ要求を送出するプローブ要求手段と，
（Ｄ）送出したプローブ要求に対する応答を第１の無線ＬＡＮより受信するプローブ応答受信手段と，
（Ｅ）受信したプローブ応答に含まれるＭＡＣアドレスを取得するＭＡＣアドレス取得手段と，
（Ｆ）自身ではない無線ＬＡＮ端末から送出されたビーコンを検出するビーコン検出手段と，
（Ｇ）検出したビーコンに含まれるＭＡＣアドレスがＭＡＣアドレス取得手段によって取得されたＭＡＣアドレスと一致するかどうかを判定するＭＡＣアドレス一致判定手段と，
（Ｈ）ＭＡＣアドレスが一致すると判定されたビーコンに含まれる，ＥＳＳＩＤを秘匿するか否かの設定値であるＥＳＳＩＤ秘匿設定値を取得するＥＳＳＩＤ秘匿設定値取得手段と，
（Ｉ）取得したＥＳＳＩＤ秘匿設定値を自身のＥＳＳＩＤ秘匿設定値として設定するＥＳＳＩＤ秘匿設定手段と，
を備える無線ＬＡＮネットワークシステム。
【請求項４】
アドホックモードにて相互に通信を行う複数の無線ＬＡＮ端末より構成される無線ＬＡＮネットワークにおける無線ＬＡＮ端末がＥＳＳＩＤの秘匿設定を自身に設定する方法であって，
プローブ要求を送出するステップと，
送出したプローブ要求に対する応答を受信するステップと，
受信したプローブ応答に含まれるＭＡＣアドレスを取得するステップと，
自身ではない無線ＬＡＮ端末から送出されたビーコンを検出するステップと，
検出したビーコンに含まれるＭＡＣアドレスが取得されたＭＡＣアドレスと一致するかどうかを判定するステップと，
ＭＡＣアドレスが一致すると判定されたビーコンに含まれる，ＥＳＳＩＤを秘匿するか否かの設定値であるＥＳＳＩＤ秘匿設定値を取得するステップと，
取得したＥＳＳＩＤ秘匿設定値を自身のＥＳＳＩＤ秘匿設定値として設定するステップと，
を含む方法。
【請求項５】
アドホックモードにて相互に通信を行う複数の無線ＬＡＮ端末より構成される無線ＬＡＮネットワークにおける無線ＬＡＮ端末を，
プローブ要求を送出するプローブ要求手段と，
送出したプローブ要求に対する応答を受信するプローブ応答受信手段と，
受信したプローブ応答に含まれるＭＡＣアドレスを取得するＭＡＣアドレス取得手段と，
自身ではない無線ＬＡＮ端末から送出されたビーコンを検出するビーコン検出手段と，
検出したビーコンに含まれるＭＡＣアドレスがＭＡＣアドレス取得手段によって取得されたＭＡＣアドレスと一致するかどうかを判定するＭＡＣアドレス一致判定手段と，
ＭＡＣアドレスが一致すると判定されたビーコンに含まれる，ＥＳＳＩＤを秘匿するか否かの設定値であるＥＳＳＩＤ秘匿設定値を取得するＥＳＳＩＤ秘匿設定値取得手段と，
取得したＥＳＳＩＤ秘匿設定値を自身のＥＳＳＩＤ秘匿設定値として設定するＥＳＳＩＤ秘匿設定手段と，
して機能させるためのプログラム。
【発明の詳細な説明】
【技術分野】
【０００１】
本発明は，無線ＬＡＮネットワーク，特にアドホックモードにおけるＩＤの秘匿に関する。
【背景技術】
【０００２】
近年普及が進んでいる無線ＬＡＮネットワークは，その動作モードによりアドホックモードとインフラストラクチャモード（以下インフラモード）の２種類に分類される。アドホックモードとは，特定の親機を介することなく無線ＬＡＮ端末同士が直接対等に通信するモードである。アドホックモードで相互通信を行う無線ＬＡＮネットワークの単位をＩＢＳＳと呼ぶ。一方，インフラモードとは，親機（アクセスポイント）を介して無線ＬＡＮ端末同士が通信するモードである。
【０００３】
通常，それぞれのモードは，ネットワークの規模や運用形態などに応じて適切なものが選択される。例えば，無線ＬＡＮ端末の数が多く，さらに有線のネットワークとの相互運用が必要な場合はインフラモードが適している。逆に，規模が比較的小さく，無線ＬＡＮ端末同士の通信さえできればよい場合は，アドホックモードが適している。
【０００４】
とはいえ，アドホックモードであっても，その規模が大きくなると，個々の端末に対する設定作業が大変面倒なものとなる。前述したように，アドホックモードはインフラモードと比較した場合，小規模であることが通常であるが，それでも数十台の規模になることも少なくなく，これだけの台数に対して個別に設定を施すことは大変な作業となる。
【０００５】
ところで，無線ＬＡＮネットワークには，ＥＳＳＩＤという無線ＬＡＮネットワークに固有のＩＤがある。通常，ＥＳＳＩＤは，ビーコンなどのパケットに含まれている３２文字以下の文字列で，各無線ＬＡＮ端末が無線ＬＡＮネットワークに参加するためのセキュリティ情報の１つとして利用されている。このようなセキュリティ情報でもあるＥＳＳＩＤが，意図しない無線ＬＡＮ端末に検出されることを回避するため，設定によりそのＥＳＳＩＤを秘匿する機能を無線ＬＡＮ端末に実装する場合がある。
【０００６】
ただ，上記したＥＳＳＩＤの秘匿は，インフラモードでは親機だけに設定すれば可能であることに対し，アドホックモードではそれぞれの無線ＬＡＮ端末に同様の設定をする必要がある。つまり，多くの無線ＬＡＮ端末により構成されるアドホックネットワークにおいて，ＥＳＳＩＤの秘匿設定をすることは，大変面倒であると共に人為的ミス（設定ミス）を誘発する要因となっていた。
【先行技術文献】
【特許文献】
【０００７】
【特許文献１】特開２０１０−３４９７４号公報
【０００８】
特許文献１は，通信装置がアドホックモードにおいて自律的にチャネル変更を行うことが可能な発明である。より詳細には，通信装置がアドホックネットワーク用の通信経路（第１の通信帯域）とその他の通信経路（第２の通信帯域）を備えており，第２の通信帯域を通じてチャネル変更の指示を受信し，これに基づいてアドホックモードの通信チャネルを変更するというものである。この発明を利用し，チャネル変更の指示に代えてＥＳＳＩＤの秘匿設定の指示を受信することも可能と考えられるが，これだけを目的として通信装置に２つの通信経路を備えさせることは，必要以上に構造が複雑となるうえ開発コストもかかり現実的な解決手段とはいえない。
【発明の概要】
【発明が解決しようとする課題】
【０００９】
以上の点に鑑み，本発明では，アドホックモードを使用する無線ＬＡＮネットワークにおいて，ＥＳＳＩＤの秘匿設定を容易かつ確実に変更することができ，さらに，インフラモードよりも開発コストを大幅に削減することが可能な無線ＬＡＮ端末の提供を目的とする。
【課題を解決するための手段】
【００１０】
本発明にかかる第１の形態は，アドホックモードにて相互に通信を行う複数の無線ＬＡＮ端末より構成される無線ＬＡＮネットワークにおける無線ＬＡＮ端末であって，プローブ要求を送出するプローブ要求手段と，送出したプローブ要求に対する応答を受信するプローブ応答受信手段と，受信したプローブ応答に含まれるＭＡＣアドレスを取得するＭＡＣアドレス取得手段と，  自身ではない無線ＬＡＮ端末から送出されたビーコンを検出するビーコン検出手段と，検出したビーコンに含まれるＭＡＣアドレスがＭＡＣアドレス取得手段によって取得されたＭＡＣアドレスと一致するかどうかを判定するＭＡＣアドレス一致判定手段と，ＭＡＣアドレスが一致すると判定されたビーコンに含まれる，ＥＳＳＩＤを秘匿するか否かの設定値であるＥＳＳＩＤ秘匿設定値を取得するＥＳＳＩＤ秘匿設定値取得手段と，取得したＥＳＳＩＤ秘匿設定値を自身のＥＳＳＩＤ秘匿設定値として設定するＥＳＳＩＤ秘匿設定手段とを備える無線ＬＡＮ端末。
【００１１】
本発明にかかる第２の形態は，アドホックモードにて相互に通信を行う複数の無線ＬＡＮ端末より構成される無線ＬＡＮネットワークにおける無線ＬＡＮ端末であって，プローブ要求を送出するプローブ要求手段と，送出したプローブ要求に対する応答を受信するプローブ応答受信手段と，受信したプローブ応答に含まれる，ＥＳＳＩＤを秘匿するか否かの設定値であるＥＳＳＩＤ秘匿設定値を取得するＥＳＳＩＤ秘匿設定値取得手段と，取得したＥＳＳＩＤ秘匿設定値を自身のＥＳＳＩＤ秘匿設定値として設定するＥＳＳＩＤ秘匿設定手段とを備える無線ＬＡＮ端末。
【００１２】
本発明にかかる第３の形態は，アドホックモードにて相互に通信を行う第１の無線ＬＡＮ端末と第２の無線ＬＡＮ端末により構成される無線ネットワークシステムであって，（１）第１の無線ＬＡＮ端末は（Ａ）ＥＳＳＩＤ秘匿設定が有効なビーコンを送出するビーコン送出手段と，（Ｂ）第２の無線ＬＡＮ端末から送出されたプローブ要求に対する応答を行うプローブ応答手段とを備え，（２）第２の無線ＬＡＮ端末は（Ｃ）プローブ要求を送出するプローブ要求手段と，（Ｄ）送出したプローブ要求に対する応答を第１の無線ＬＡＮより受信するプローブ応答受信手段と，（Ｅ）受信したプローブ応答に含まれるＭＡＣアドレスを取得するＭＡＣアドレス取得手段と，（Ｆ）自身ではない無線ＬＡＮ端末から送出されたビーコンを検出するビーコン検出手段と，（Ｇ）検出したビーコンに含まれるＭＡＣアドレスがＭＡＣアドレス取得手段によって取得されたＭＡＣアドレスと一致するかどうかを判定するＭＡＣアドレス一致判定手段と，（Ｈ）ＭＡＣアドレスが一致すると判定されたビーコンに含まれる，ＥＳＳＩＤを秘匿するか否かの設定値であるＥＳＳＩＤ秘匿設定値を取得するＥＳＳＩＤ秘匿設定値取得手段と，（Ｉ）取得したＥＳＳＩＤ秘匿設定値を自身のＥＳＳＩＤ秘匿設定値として設定するＥＳＳＩＤ秘匿設定手段とを備える無線ＬＡＮネットワークシステム。
【００１３】
本発明にかかる第４の形態は，アドホックモードにて相互に通信を行う複数の無線ＬＡＮ端末より構成される無線ＬＡＮネットワークにおける無線ＬＡＮ端末がＥＳＳＩＤの秘匿設定を自身に設定する方法であって，プローブ要求を送出するステップと，送出したプローブ要求に対する応答を受信するステップと，受信したプローブ応答に含まれるＭＡＣアドレスを取得するステップと，自身ではない無線ＬＡＮ端末から送出されたビーコンを検出するステップと，検出したビーコンに含まれるＭＡＣアドレスが取得されたＭＡＣアドレスと一致するかどうかを判定するステップと，ＭＡＣアドレスが一致すると判定されたビーコンに含まれる，ＥＳＳＩＤを秘匿するか否かの設定値であるＥＳＳＩＤ秘匿設定値を取得するステップと，取得したＥＳＳＩＤ秘匿設定値を自身のＥＳＳＩＤ秘匿設定値として設定するステップとを含む方法。
【００１４】
本発明にかかる第５の形態は，アドホックモードにて相互に通信を行う複数の無線ＬＡＮ端末より構成される無線ＬＡＮネットワークにおける無線ＬＡＮ端末を，プローブ要求を送出するプローブ要求手段と，送出したプローブ要求に対する応答を受信するプローブ応答受信手段と，  受信したプローブ応答に含まれるＭＡＣアドレスを取得するＭＡＣアドレス取得手段と，自身ではない無線ＬＡＮ端末から送出されたビーコンを検出するビーコン検出手段と，検出したビーコンに含まれるＭＡＣアドレスがＭＡＣアドレス取得手段によって取得されたＭＡＣアドレスと一致するかどうかを判定するＭＡＣアドレス一致判定手段と，ＭＡＣアドレスが一致すると判定されたビーコンに含まれる，ＥＳＳＩＤを秘匿するか否かの設定値であるＥＳＳＩＤ秘匿設定値を取得するＥＳＳＩＤ秘匿設定値取得手段と，取得したＥＳＳＩＤ秘匿設定値を自身のＥＳＳＩＤ秘匿設定値として設定するＥＳＳＩＤ秘匿設定手段として機能させるためのプログラム。
【発明の効果】
【００１５】
本発明によれば，アドホックモードを用いる無線ＬＡＮネットワークにおいて，各無線ＬＡＮ端末に簡易的に親機と子機の関係を持たせることにより，親機のＥＳＳＩＤ秘匿設定に基づいて，子機が自律的にその親機の設定に追従することが可能となる。これにより，例えばアドホックモードを用いる無線ＬＡＮネットワークにおいてＥＳＳＩＤを秘匿する必要があったとしても，親機にだけ設定を施せばよく，無線ＬＡＮネットワーク全体の秘匿設定に必要な労力および設定に伴う人為的ミスを大幅に削減することができる。さらに，本発明は従来のアドホックモードに追加実装するだけで実現可能なため，インフラモードを一から実装する場合と比較して，必要以上に構造が複雑となることを回避しつつ開発コストを低く抑えられる点においても効果がある。
【発明を実施するための形態】
【００１６】
以下では図面を参照し，本発明に係る実施例を説明する。
［システム全体図］
【００１７】
図１に本発明におけるシステム全体図を示す。無線ＬＡＮ端末１０１〜無線ＬＡＮ端末１２１はそれぞれ無線ＬＡＮ端末であり，アドホックモードにて相互に通信が可能である。
［フローチャート１］
【００１８】
図２は，親機と子機に共通の動作のフローである。前述したとおり，本発明の無線ＬＡＮ端末はアドホックモードにおいて，その動作により，親機と子機の区別を設けている。
ステップＳ２０１において，無線ＬＡＮ端末は，動作を開始する。
ステップＳ２０３において，無線ＬＡＮ端末は，自身が親機であるかどうかを判定する。この判定は，例えば，親機または子機の種別を示すソフトウェア上の設定値や，物理的なスイッチにより得られる信号などに基づいてなされる。判定の結果，自身が親機であれば，親機モードで動作を開始（ステップＳ２０５）し，そうでなければ子機モードで動作を開始（ステップＳ２０７）する。
［子機の機能ブロック図］
【００１９】
図３は子機の機能ブロック図である。プローブ要求送出手段３０１は，子機が参加すべきＩＢＳＳを検索するための手段である。なお，送出されるプローブ要求には所望のＩＢＳＳのＥＳＳＩＤが含まれている。プローブ応答受信手段３０３は，送出したプローブ要求に対する応答を受信する手段であり，この応答を受信することにより子機は所望のＩＢＳＳに参加することができる。なお，親機のＥＳＳＩＤ秘匿設定が有効（ＯＮ）になっている場合，子機が送出したプローブ要求に含まれるＥＳＳＩＤが親機のものと一致しない限り親機によるプローブ応答はなされない。ＭＡＣアドレス取得手段３０５は受信したプローブ応答に含まれる親機のＭＡＣアドレスを取得する。つまり，子機はプローブ応答を受信した時点で親機を一意に特定する情報（ここではＭＡＣアドレス）を得ることができる。ビーコン検出手段３０７は，さまざまな無線ＬＡＮ端末から送出されるビーコンを受信する手段である。なお，ビーコンにはそれぞれの送出元を特定するＭＡＣアドレスが含まれている。ＭＡＣアドレス一致判定手段３０９は，受信したさまざまなビーコンの中からＭＡＣアドレス取得手段３０５によって取得されたＭＡＣアドレスと一致するビーコンを特定する。つまり，どのビーコンが親機からのものかを特定する。ＥＳＳＩＤ秘匿設定値取得手段３１１は，親機からのものであると特定されたビーコンに含まれるＥＳＳＩＤが秘匿されているかどうかを判定し，親機のＥＳＳＩＤ秘匿設定値として取得する。ＥＳＳＩＤ秘匿設定手段３１３は，取得した親機のＥＳＳＩＤ秘匿設定値と同じ設定値を自身のＥＳＳＩＤ秘匿設定値として設定する。つまり，親機の秘匿設定がＯＮであれば，子機の秘匿設定もＯＮとなる。ビーコン送出タスク起動手段３１５は，子機のビーコンを送出するタスクであるビーコン送出タスク（図示せず）を起動させる。これにより子機は親機と同じＥＳＳＩＤ秘匿設定にてビーコンを送出することとなる。
［フローチャート２］
【００２０】
図４は，子機が親機のＥＳＳＩＤ秘匿設定値を追従する際のフローである。
ステップＳ４０１において，プローブ要求送出手段３０１は，プローブ要求を送出する。
ステップＳ４０３において，プローブ応答受信手段３０３は，送出したプローブ要求に対する応答を受信したかどうかを判定し，受信していればステップＳ４０５に進み，そうでなければプローブ要求の送出を繰り返す。
ステップＳ４０５において，ＭＡＣアドレス取得手段３０５は，受信したプローブ応答に含まれる親機のＭＡＣアドレスを取得する。
ステップＳ４０７において，ビーコン検出手段３０７は，子機が受信することができるビーコンを検出する。
ステップＳ４０９において，ＭＡＣアドレス一致判定手段３０９は，検出したビーコンのうち，ステップＳ４０５にて取得したＭＡＣに一致するビーコンがあるかどうかを判定し，あればステップＳ４１１に進み，そうでなければビーコン検出を繰り返す。
ステップＳ４１１において，ＥＳＳＩＤ秘匿設定値取得手段３１１は，ＭＡＣアドレスの一致により親機からのものと特定されたビーコンに含まれるＥＳＳＩＤ秘匿設定値を取得する。
ステップＳ４１３において，ＥＳＳＩＤ秘匿設定手段３１３は，ステップＳ４１１にて取得した親機のＥＳＳＩＤ秘匿設定値を子機のＥＳＳＩＤ秘匿設定値として設定する。
ステップＳ４１５において，ビーコン送出タスク起動手段３１５は，ビーコン送出タスクを起動させる。
[シーケンス例]
【００２１】
図５は，子機が親機のＥＳＳＩＤ秘匿設定値を追従する際のシーケンス例である。
ステップＳ５０１において，子機は動作を開始する。
ステップＳ５０３において，親機はビーコンを送出する。ＥＳＳＩＤはＸＹＺに設定されている。ビーコンに含まれるＥＳＳＩＤ秘匿設定は有効，つまり秘匿ＯＮである。なお，本シーケンス図において親機からの送出されるビーコンは３回分しか図示されていないが，実際には随時送出されており，必ずしも図示のタイミングにて送出されているわけではない。
ステップＳ５０５において，子機はプローブ要求を送出する。このプローブには，ＥＳＳＩＤとしてＸＹＺが設定されている。
ステップＳ５０７において，親機はこのプローブ要求に対する応答を送出する。なお，この応答は，子機の送出したプローブ要求に含まれるＥＳＳＩＤと親機のＥＳＳＩＤが一致したことにより送出されるものである。
ステップＳ５０９において，プローブ応答を受信した子機は親機のＩＢＳＳに参加する。
ステップＳ５１１において，子機は親機のビーコンを受信する。
ステップＳ５１３において，子機は受信した親機のビーコンから親機のＥＳＳＩＤ秘匿設定値を取得し，これを自身に設定する。
ステップＳ５１５において，子機は自身に設定されたＥＳＳＩＤ秘匿設定値に基づいてビーコン送出を開始する。
[他の実施例]
【００２２】
先の実施例では，親機から送出されるビーコンに含まれるＥＳＳＩＤ秘匿設定値に基づいて，子機が自身の秘匿設定を行うことにより親機に追従する動作を実現したが，親機から送出されるプローブ応答自身に親機の秘匿設定を含め，これに基づいて子機が設定を行うことも可能である。この場合，図３に示すＭＡＣアドレス取得手段３０５，ビーコン検出手段３０７およびＭＡＣアドレス一致判定手段３０９は不要となる。この様子を図６に示す。なお，本実施例によれば，実施例１と比較し，子機の構成をより簡素化することができる。
［総括］
【００２３】
本発明によれば，アドホックモードを用いる無線ＬＡＮネットワークにおいて，各無線ＬＡＮ端末に簡易的に親機と子機の関係を持たせることにより，親機のＥＳＳＩＤ秘匿設定に基づいて，子機が自律的にその親機の設定に追従することが可能となる。これにより，例えばアドホックモードを用いる無線ＬＡＮネットワークにおいてＥＳＳＩＤを秘匿する必要があったとしても，親機にだけ設定を施せばよく，無線ＬＡＮネットワーク全体の秘匿設定に必要な労力および設定に伴う人為的ミスを大幅に削減することができる。さらに，本発明は従来のアドホックモードに追加実装するだけで実現可能なため，インフラモードを一から実装する場合と比較して，必要以上に構造が複雑となることを回避しつつ開発コストを低く抑えられる点においても効果がある。
【図面の簡単な説明】
【００２４】
【図１】本発明のシステム全体図
【図２】親機・子機の共通動作のフロー
【図３】子機の機能ブロック図
【図４】子機が親機のＥＳＳＩＤ秘匿設定値を追従する際のフロー
【図５】子機が親機のＥＳＳＩＤ秘匿設定値を追従する際のシーケンス例
【図６】その他の実施形態における子機の機能ブロック図
【符号の説明】
【００２５】
３０１  プローブ要求手段
３０３  プローブ応答受信手段
３０５  ＭＡＣアドレス取得手段
３０７  ビーコン検出手段
３０９  ＭＡＣアドレス一致判定手段
３１１  ＥＳＳＩＤ秘匿設定値取得手段
３１３  ＥＳＳＩＤ秘匿設定手段
【図１】
2012034071.tif 000003
【図２】
2012034071.tif 000004
【図３】
2012034071.tif 000005
【図４】
2012034071.tif 000006
【図５】
2012034071.tif 000007
【図６】
2012034071.tif 000008